(57)【要約】【課題】  内線でも外線でも１本の回線で支障なく通信を行える通信端末装置を提供すること。【解決手段】  外線を介した通信に最適な外線用パラメータと内線を介した通信に最適な内線用パラメータとを予め記憶したパラメータ登録テーブルと、指定された相手先番号の先頭の番号が内線を指定する特定番号である場合には、通信時に参照される前記通信パラメータとして、前記内線用パラメータを設定し、それ以外の場合には、前記外線用パラメータを設定するパラメータ設定手段とを備えたことを特徴とする。【選択図】    図１
2006129512.tif 000002
【特許請求の範囲】
【請求項１】
指定された相手先番号に発呼して、予め設定された通信パラメータを参照しそれに基づいて通信を行う通信端末装置において、外線を介した通信に最適な外線用パラメータと内線を介した通信に最適な内線用パラメータとを予め記憶したパラメータ登録テーブルと、指定された相手先番号の先頭の番号が内線を指定する特定番号である場合には、通信時に参照される前記通信パラメータとして、前記内線用パラメータを設定し、それ以外の場合には、前記外線用パラメータを設定するパラメータ設定手段とを備えたことを特徴とする通信端末装置。
【請求項２】
指定された相手先番号に発呼して、予め設定された通信パラメータを参照しそれに基づいて通信を行う通信端末装置において、外線を介した通信に最適な外線用パラメータと内線を介した特定区域との通信に最適な内線用パラメータとを予め記憶したパラメータ登録テーブルと、指定された相手先番号の先頭の番号が内線を指定する特定番号である場合において、当該特定番号に続く番号が所定の区域を指定する番号であるときには、通信時に参照される前記通信パラメータとして、前記内線用パラメータを設定し、それ以外の場合には前記外線用パラメータを設定するパラメータ設定手段とを備えたことを特徴とする通信端末装置。
【請求項３】
前記外線用パラメータのみ、前記内線用パラメータのみ、または、前記外線用パラメータ及び内線用パラメータの両方を有効なパラメータとして予め設定する有効パラメータ設定手段を更に備え、前記パラメータ設定手段は、前記有効パラメータ設定手段により有効と設定されたパラメータが、前記内線用パラメータのみであった場合には、前記内線用パラメータを、前記外線用パラメータのみであった場合には、前記外線用パラメータを、通信時に参照される前記通信パラメータとして設定する一方、前記有効パラメータ設定手段により有効と設定されたパラメータが、前記外線用パラメータ及び内線用パラメータの両方であった場合には、指定された相手先番号の先頭の番号が内線を指定する特定番号であれば、通信時に参照される前記通信パラメータとして、前記内線用パラメータを設定し、それ以外のときには、前記外線用パラメータを設定するものであることを特徴とする請求項１に記載の通信端末装置。
【請求項４】
前記外線用パラメータのみ、前記内線用パラメータのみ、または、前記外線用パラメータ及び内線用パラメータの両方を有効なパラメータとして予め設定する有効パラメータ設定手段を更に備え、前記パラメータ設定手段は、前記有効パラメータ設定手段により有効と設定されたパラメータが、前記内線用パラメータのみであった場合には、前記内線用パラメータを、前記外線用パラメータのみであった場合には、前記外線用パラメータを、通信時に参照される前記通信パラメータとして設定する一方、前記有効パラメータ設定手段により有効と設定されたパラメータが、前記外線用パラメータ及び内線用パラメータの両方であった場合には、指定された相手先番号の先頭の番号が内線を指定する特定番号であるときにおいて、当該特定番号に続く番号が所定の区域を指定する番号でれば、通信時に参照される前記通信パラメータとして、前記内線用パラメータを設定し、それ以外の場合には前記外線用パラメータを設定するものであることを特徴とする請求項２に記載の通信端末装置。
【請求項５】
指定された相手先番号に発呼して、予め設定された通信パラメータを参照しそれに基づいて通信を行う通信端末装置において、それぞれ内容の異なる複数のパラメータを予め記憶したパラメータ登録テーブルと、前記パラメータ登録テーブルに登録されたパラメータのうちの１つを、通信時に参照される前記通信パラメータとして設定し、指定された相手先番号に発呼して通信を行った結果、通信が正常終了しなかった場合には、前記パラメータ登録テーブルに登録された他のパラメータを通信が正常に終了するまで順次前記通信パラメータとして設定して再発呼し通信を行う通信制御手段とを備えたことを特徴とする通信端末装置。
【請求項６】
指定された相手先番号に発呼して、予め設定された通信パラメータを参照しそれに基づいて通信を行う通信端末装置において、それぞれ内容の異なる複数のパラメータをそれぞれ特定番号と対応付けて予め記憶したパラメータ登録テーブルと、指定された相手先番号の先頭の番号と一致する特定番号に前記パラメータ登録テーブルにおいて対応するパラメータを通信時に参照される前記通信パラメータとして設定するパラメータ設定手段とを備えたことを特徴とする通信端末装置。
【請求項７】
指定された相手先番号に発呼して、予め設定された通信パラメータを参照しそれに基づいて通信を行う通信端末装置において、それぞれ内容の異なる複数のパラメータを予め記憶したパラメータ登録テーブルと、発呼時に選択操作入力に応じて前記パラメータ登録テーブルに記憶されたパラメータのうちの１つを前記通信パラメータとして設定するパラメータ設定手段とを備えたことを特徴とする通信端末装置。
【発明の詳細な説明】
【技術分野】
【０００１】
本発明は、ファクシミリ装置等の通信端末装置に関する。
【背景技術】
【０００２】
ファクシミリ装置等の通信端末装置は、公衆網に直接接続されて使用される場合もあるが、構内交換機に接続されて使用される場合も多い。
【０００３】
構内交換機に接続されたファクシミリ装置等の通信端末装置は、２回線を収容すれば、その一方の回線を内線専用に使用し、他方の回線を回線専用に使用することで、それそれの回線を使用した通信に最適な通信パラメータをそれぞれ設定でき、内線通信及び外線通信を問題なく行える。
【発明の開示】
【発明が解決しようとする課題】
【０００４】
しかし、構内交換機に接続されたファクシミリ装置が１回線しか収容していない場合、その回線について内線通信に最適に通信パラメータを設定すれば外線通信ができず、逆に、外線通信に最適に通信パラメータを設定すれば内線通信ができなくなってしまうという問題点があった。
【０００５】
本発明は係る事情に鑑みてなされたものであり、内線でも外線でも１本の回線で支障なく通信を行える通信端末装置を提供することを目的とする。
【課題を解決するための手段】
【０００６】
上記目的を達成するため、請求項１に記載の通信端末装置は、指定された相手先番号に発呼して、予め設定された通信パラメータを参照しそれに基づいて通信を行う通信端末装置において、外線を介した通信に最適な外線用パラメータと内線を介した通信に最適な内線用パラメータとを予め記憶したパラメータ登録テーブルと、指定された相手先番号の先頭の番号が内線を指定する特定番号である場合には、通信時に参照される前記通信パラメータとして、前記内線用パラメータを設定し、それ以外の場合には、前記外線用パラメータを設定するパラメータ設定手段とを備えたことを特徴とする。
【０００７】
請求項２に記載の通信端末装置は、指定された相手先番号に発呼して、予め設定された通信パラメータを参照しそれに基づいて通信を行う通信端末装置において、外線を介した通信に最適な外線用パラメータと内線を介した特定区域との通信に最適な内線用パラメータとを予め記憶したパラメータ登録テーブルと、指定された相手先番号の先頭の番号が内線を指定する特定番号である場合において、当該特定番号に続く番号が所定の区域を指定する番号であるときには、通信時に参照される前記通信パラメータとして、前記内線用パラメータを設定し、それ以外の場合には前記外線用パラメータを設定するパラメータ設定手段とを備えたことを特徴とする。
【０００８】
請求項３に記載の通信端末装置は、請求項１に記載の通信端末装置において、前記外線用パラメータのみ、前記内線用パラメータのみ、または、前記外線用パラメータ及び内線用パラメータの両方を有効なパラメータとして予め設定する有効パラメータ設定手段を更に備え、前記パラメータ設定手段は、前記有効パラメータ設定手段により有効と設定されたパラメータが、前記内線用パラメータのみであった場合には、前記内線用パラメータを、前記外線用パラメータのみであった場合には、前記外線用パラメータを、通信時に参照される前記通信パラメータとして設定する一方、前記有効パラメータ設定手段により有効と設定されたパラメータが、前記外線用パラメータ及び内線用パラメータの両方であった場合には、指定された相手先番号の先頭の番号が内線を指定する特定番号であれば、通信時に参照される前記通信パラメータとして、前記内線用パラメータを設定し、それ以外のときには、前記外線用パラメータを設定するものであることを特徴とする。
【０００９】
請求項４に記載の通信端末装置は、請求項２に記載の通信端末装置において、前記外線用パラメータのみ、前記内線用パラメータのみ、または、前記外線用パラメータ及び内線用パラメータの両方を有効なパラメータとして予め設定する有効パラメータ設定手段を更に備え、前記パラメータ設定手段は、前記有効パラメータ設定手段により有効と設定されたパラメータが、前記内線用パラメータのみであった場合には、前記内線用パラメータを、前記外線用パラメータのみであった場合には、前記外線用パラメータを、通信時に参照される前記通信パラメータとして設定する一方、前記有効パラメータ設定手段により有効と設定されたパラメータが、前記外線用パラメータ及び内線用パラメータの両方であった場合には、指定された相手先番号の先頭の番号が内線を指定する特定番号であるときにおいて、当該特定番号に続く番号が所定の区域を指定する番号でれば、通信時に参照される前記通信パラメータとして、前記内線用パラメータを設定し、それ以外の場合には前記外線用パラメータを設定するものであることを特徴とする。
【００１０】
請求項５に記載の通信端末装置は、指定された相手先番号に発呼して、予め設定された通信パラメータを参照しそれに基づいて通信を行う通信端末装置において、それぞれ内容の異なる複数のパラメータを予め記憶したパラメータ登録テーブルと、前記パラメータ登録テーブルに登録されたパラメータのうちの１つを、通信時に参照される前記通信パラメータとして設定し、指定された相手先番号に発呼して通信を行った結果、通信が正常終了しなかった場合には、前記パラメータ登録テーブルに登録された他のパラメータを通信が正常に終了するまで順次前記通信パラメータとして設定して再発呼し通信を行う通信制御手段とを備えたことを特徴とする。
【００１１】
請求項６に記載の通信端末装置は、指定された相手先番号に発呼して、予め設定された通信パラメータを参照しそれに基づいて通信を行う通信端末装置において、それぞれ内容の異なる複数のパラメータをそれぞれ特定番号と対応付けて予め記憶したパラメータ登録テーブルと、指定された相手先番号の先頭の番号と一致する特定番号に前記パラメータ登録テーブルにおいて対応するパラメータを通信時に参照される前記通信パラメータとして設定するパラメータ設定手段とを備えたことを特徴とする。
【００１２】
請求項７に記載の通信端末装置は、指定された相手先番号に発呼して、予め設定された通信パラメータを参照しそれに基づいて通信を行う通信端末装置において、それぞれ内容の異なる複数のパラメータを予め記憶したパラメータ登録テーブルと、発呼時に選択操作入力に応じて前記パラメータ登録テーブルに記憶されたパラメータのうちの１つを前記通信パラメータとして設定するパラメータ設定手段とを備えたことを特徴とする。
【発明の効果】
【００１３】
請求項１に係る発明によれば、指定された相手先番号の先頭の番号が内線を指定する特定番号で、内線通信を行う場合には、内線通信に最適な通信パラメータが設定され、それ以外の場合には外線通信に最適な通信パラメータが設定されるため、内線でも外線でも１本の回線で支障なく通信を行うことが可能となる効果が得られる。
【００１４】
請求項２に係る発明によれば、指定された相手先番号の先頭の番号が内線を指定する特定番号あり、かつ、当該特定番号に続く番号が、自装置が設置された事業所等のの所定の区域を指定する番号であるときには、内線通信に最適な通信パラメータが設定され、それ以外の場合には外線通信に最適な通信パラメータが設定されるため、距離的に近い同一事業所内等での内線通信においては、前記通信パラメータとして最適な前記内線用パラメータを使用でき、距離的に遠い他事業所等との、通信条件が外線とかわらない内線通信においては、前記通信パラメータとして最適な前記外線用パラメータを使用できる。したがって、内線でも外線でも１本の回線で支障なく通信を行うことが可能となる効果が得られる。
【００１５】
請求項３に係る発明によれば、請求項１に係る発明と同様の効果に加え、前記内線用パラメータ及び外線用パラメータのうちの有効なものを予め設定できるため、内線通信か外線通信かによって前記通信パラメータを前記内線用パラメータまたは前記外線パラメータに切替設定する必要がない場合に、前記内線用パラメータを無条件に前記通信パラメータとして設定したり、前記外線用通信パラメータを無条件に前記通信パラメータとして設定することが可能となる。したがって、前記内線用パラメータまたは外線用パラメータのいずれか一方しか前記通信パラメータとして使用されず、他方のパラメータの登録は不要な場合に、一方のパラメータのみを登録すればすみ、前記内線用、外線用のパラメータの登録操作を簡略化することが可能となる効果が得られる。
【００１６】
請求項４に係る発明によれば、請求項２に係る発明と同様の効果に加え、前記内線用パラメータ及び外線用パラメータのうちの有効なものを予め設定できるため、前記所定の区域との内線通信か、それ以外の通信かによって前記通信パラメータを前記内線用パラメータまたは前記外線パラメータに切替設定する必要がない場合に、前記内線用パラメータを無条件に前記通信パラメータとして設定したり、前記外線用通信パラメータを無条件に前記通信パラメータとして設定することが可能となる。したがって、前記内線用パラメータまたは外線用パラメータのいずれか一方しか前記通信パラメータとして使用されず、他方のパラメータの登録は不要な場合に、一方のパラメータのみを登録すればすみ、前記内線用、外線用のパラメータの登録操作を簡略化することが可能となる効果が得られる。
【００１７】
請求項５に係る発明によれば、通信が正常に行えるまで、前記パラメータ登録テーブルに登録されたパラメータを順次前記通信パラメータとして設定して再発呼して通信を試みるため、通信の相手先が内線の相手先であったり外線の相手先であたりして、最適な通信パラメータが各通信で異なる場合でも、１本の回線で支障なく通信を行うことが可能となる効果が得られる。
【００１８】
請求項６に係る発明によれば、指定された相手先番号の先頭の番号と一致する特定番号に対応するパラメータが前記通信パラメータとして設定されるため、各特定番号に対応する内線内の区域や外線の相手先との通信を、各相手先との通信に最適な通信パラメータで行うことができ、内線でも外線でも１本の回線で支障なく通信を行うことが可能となる効果が得られる。
【００１９】
請求項７に係る発明によれば、指定された相手先との通信に最適なパラメータがユーザにより選択されると、その選択されたパラメータが前記通信パラメータとして設定されるため、各通信について最適な通信パラメータを設定でき、内線でも外線でも１本の回線で支障なく通信を行うことが可能となる効果が得られる。
【発明を実施するための最良の形態】
【００２０】
以下、添付図面を参照しながら、本発明の実施の形態を詳細に説明する。
【００２１】
先ず、図１は、本発明の実施の形態に係る通信端末装置としてのファクシミリ装置１のブロック構成を示している。
【００２２】
同図において、ファクシミリ装置１は、システム制御部２、ＲＯＭ３、ＲＡＭ４、スキャナ５、プロッタ６、画像メモリ７、符号化復号化部８、操作表示部９、通信制御部１０、モデム１１、網制御部１２、及び、システムバス１３により構成されている。
【００２３】
システム制御部２は、ＲＯＭ３書き込まれた制御プログラムに従って、ＲＡＭ４を作業領域として使用しながら、装置各部を制御するものである。
【００２４】
ＲＯＭ３は、前述したように、システム制御部２が上記装置各部を制御するための制御プログラムが記憶されているリードオンリメモリである。また、ＲＯＭ３には、各文字コードにフォントデータを対応付けたフォントテーブル３ａが記憶されていて、システム制御部２は、文字列を画情報に変換する場合には、フォントテーブル３ａを参照する。
【００２５】
ＲＡＭ４は、前述したようにシステム制御部２の作業領域として使用されるランダムアクセスメモリである。なお、ＲＡＭ４は、図示しないバックアップ用回路によりバックアップされており、装置電源遮断時にも記憶内容は保持される。
【００２６】
スキャナ５は、３．８５本／ｍｍ、７．７本／ｍｍ、１５．４本／ｍｍ等の所定の読み取り線密度で原稿画像を読み取って画情報を得るためのものである。プロッタ６は、受信した画情報を、その線密度に応じて記録出力したり、スキャナ５で読み取った画情報を、その線密度に応じて記録出力（コピー動作）するためのものである。
【００２７】
画像メモリ７は、スキャナ５で読み取った画情報を、メモリ送信するために一時的にファイルとして蓄積したり、受信した画情報を、プロッタ６により記録するまでファイルとして一時的に蓄積したり、通信管理レポート等の各種レポートの画情報やワンタッチダイヤル登録リストや短縮ダイヤル登録リストの画情報をフォント展開して作成するための一時的な記憶領域としても使用される。
【００２８】
符号化復号化部８は、送信画像データを、Ｇ３ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００２９】
操作表示部９は、相手先ファクシミリ番号を指定するためのテンキー、送信スタートキー、ワンタッチダイヤルキー、及び、その他各種キーが配設される一方、液晶表示装置等の表示器を備え、ユーザに知らせるべき装置の動作状態や、各種メッセージを表示するものである。
【００３０】
図２に、本実施の形態と直接関係する部分以外は、図示を省略した操作表示部９の配置構成例を示す。同図において、テンキー９ａは、送信相手先ファックス番号等を直接指定したりする際の番号入力のために用いられるものである。［Ｙｅｓ］キー９ｂ及び［Ｎｏ］キー９ｃは、ユーザに決定または取消の各種選択をさせるためのキーである。［ストップ］キー９ｄは、各種動作の強制的な停止を指示するためのものである。［スタート］キー９ｅは、ファクシミリ送信動作の開始や、コピー動作の開始を指示するためのものである。［ファンクション］キー９ｆは、ワンタッチダイヤルの登録機能、短縮ダイヤルの登録機能、ユーザパラメータの設定機能や、ファクシミリ装置１の標準的なファクシミリ装置としての機能以外の、時刻指定送信、部門コード指定送信、親展送信等の拡張的な機能を呼び出すためのもので、この［ファンクション］キー９ｆを押下して、テンキー９ａにより、各機能に対応した番号を入力することで、各機能を呼び出して実行することができる。
【００３１】
カーソルキー群９ｇは、［下矢印］キー９ｇｄ、［左矢印］キー９ｇｌ、［右矢印］キー９ｇｒ、及び、［上矢印］キー９ｇｕにより構成されている。［下矢印］キー９ｇｄ及び［上矢印］キー９ｇｕは、各キーの押下に応じて、表示器９ｈの表示内容を変更したり、表示内容を上下にスクロールしたりするものである。また、［左矢印］キー９ｇｌ及び［右矢印］キー９ｇｒは、各キーの押下に応じて、表示器８ｈに表示された項目や機能等を選択するものである。表示器９ｈは、ユーザに知らせるべき装置の動作状態や、各種メッセージを表示するものである。
【００３２】
図１に戻って、通信制御部１０は、モデム１１及び網制御部１２を制御してＧ３ファクシミリ通信を行うものである。モデム１１は、Ｇ３ファクシミリモデムであり、網制御部１２を介して回線に送信するデータを変調する一方、網制御部１２を介して回線から受信した信号を復調するものである。また、モデム１１は、入力されたダイヤル番号に対応してＤＴＭＦ信号の送出も行う。網制御部１２は、回線に接続されて、回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行うものである。なお、網制御部１２は、電話回線に直接接続されて外線通信のみを行うこともできるが、本実施の形態では、網制御部１２は、構内交換機を介して、外線（電話回線）、または、自営構内回線（内線）に接続されるものとする。システムバス１３は、上記各部がデータをやり取りするための信号ラインである。
【００３３】
以上の構成の本実施の形態に係るファクシミリ装置１は、図３に示す送信処理手順を行う。
【００３４】
同図において、システム制御部２は、先ず、操作表示部９の表示器９ｈに原稿をセットすると共に宛先電話番号を指定するように促す図４に示す表示Ｄ０１を行う（処理１０１）、そして、スキャナ５に原稿がセットされるかを監視し（判断１０２のＮｏループ）、セットされると（判断１０２のＹｅｓ）、表示器９ｈに図４に示す表示Ｄ０２を行い宛先の指定を促して（処理１０３）、宛先の電話番号の入力があるかを監視する（判断１０４のＮｏループ）。
【００３５】
テンキー９ａにより直接入力や、図示しないワンタッチダイヤルキーや短縮ダイヤルキーの押下により宛先の電話番号が指定されると（判断１０４のＹｅｓ）、表示器９ｈに、図４に示す表示Ｄ０３を行って、指定された宛先番号（表示Ｄ０３においては、「８−２−１２３４」）を表示して、送信を開始するなら［スタート］キー９ｅを押下し、付加機能を使用するなら［↓］キー９ｇｄを押下するように促す（処理１０５）。
【００３６】
そして、後に各実施形態に分けて詳述する発呼前処理を行って（処理１０６）、その発呼前処理において［Ｙｅｓ］キー９ｂが押下されると、処理１０７の原稿読み取り処理が開始され、スキャナ５にセットされた原稿が読み取られ、得られた画情報が画像メモリ７に蓄積され、判断１０４で指定された電話番号に発呼され（処理１０８）、処理１０７で画像メモリ７に蓄積された画情報を読み出して、Ｇ３ファクシミリプロトコルに基づいて相手先に送信するファクシミリ送信処理を行う（処理１０９）。処理１０９におけるファクシミリ送信処理では、予め設定された通信パラメータを参照しそれに基づいて通信が行われる。
【００３７】
次に、処理１０６の発呼前処理について第１ないし第６実施形態に分けて説明する。
【００３８】
先ず、第１実施形態に係る発呼前処理について説明する。
【００３９】
第１実施形態では、ＲＡＭ４に、図５に示すパラメータ登録テーブルを予め記憶しておく。図５に示すパラメータ登録テーブルは、内線用のパラメータと、外線用のパラメータとにより構成されている。そして、各パラメータは、「特番」、「ＤＩＳフレームサイズ」、「ＣＥＤ／ＡＮＳａｍ送出禁止」、「Ｇ３標準／非標準」、「ＡＩ短プロ」、「ＮＳＦ／ＤＩＳ検出回数」、「Ｖ８機能手順」、「送信開始モデムモード」、「ＰＳＴＮケーブルイコライザ」、及び、「送出レベル」の各項目により構成されている。
【００４０】
項目「特番」としては、内線用パラメータでは、内線用の専用線へのアクセス番号である番号「８」が登録され、外線用パラメータでは番号「０」が登録されている。ディジタル識別信号ＤＩＳのフレームサイズを設定する項目「ＤＩＳフレームサイズ」としては、内線用パラメータでは、「４ｂｙｔｅ固定」が設定され、外線用パラメータでは、「標準」が設定されている。Ｖ．８プロトコルにおけるＡＮＳａｍの送出やＧ３ファクシミリプロトコルにおける被呼局識別信号ＣＥＤの送出を禁止するか否かを設定する項目「ＣＥＤ／ＡＮＳａｍ送出禁止」としては、内線用パラメータでは「ＯＮ」が設定され、外線用パラメータでは「ＯＦＦ」が設定されている。Ｇ３標準のプロトコルにより通信を行うか、メーカ独自の拡張したプロトコルにより通信を行うかを設定する項目「Ｇ３標準／非標準」としては、内線用パラメータでは「標準」が設定され、外線用パラメータでは「非標準」が設定されている。一度通信を行ったことのある相手先と通信を行う場合に、当該相手先との間で以前行った通信において得られ、記憶していた通信条件を設定して、伝送前手順での通信条件の設定手順を省いたＡＩ短縮プロトコル手順を行うか否かを設定する項目「ＡＩ短プロ」としては、内線用パラメータでは「ＯＦＦ」が設定され、外線用パラメータでは「ＯＮ」が設定されている。非標準機能識別信号ＮＳＦ、ディジタル識別信号ＤＩＳの検出回数を設定する項目「ＮＳＦ／ＤＩＳ検出回数」としては、内線用パラメータでは「２回」が設定され、外線用パラメータでは「１回」が設定されている。相手先との間で、モデム速度等の通信モードを自動的に最良に設定するためのＶ．８プロトコル機能手順を行うか否かを設定するための項目「Ｖ８機能手順」としては、内線用パラメータでは「ＯＦＦ」が設定され、外線用パラメータでは「ＯＮ」が設定されている。送信開始時のモデム速度を設定する項目「送信開始モデムモード」としては、内線用パラメータでは「９６００ｂｐｓ」が設定され、外線用パラメータでは「３３．６ｋｂｐｓ」が設定されている。ケーブル長によって異なる回線特性を補正するためのケーブル長を設定する項目「ＰＳＴＮケーブルイコライザ」としては、内線用パラメータでは、内線通信ケーブル長は短いため「０Ｋｍ」が設定され、外線用パラメータとしては「１．８Ｋｍ」が設定されている。項目「送出レベル」としては、内線用パラメータでは減衰が少ないため「−１５ｄｂｍ」が設定され、外線用パラメータでは比較的減衰が大きいため「−７ｄｂｍ」が設定されている。
【００４１】
このように、内線通信、外線通信それぞれに最適なパラメータを予めパラメータ登録テーブルに登録した上で、第１実施形態では、図３に示した送信処理手順における発呼前処理（処理１０６）として、図６に示す処理手順を行う。
【００４２】
図６において、先ず、システム制御部２は、処理１０４で入力された宛先の先頭に、内線を指定する特定の番号である特番「８」があるかを判断し（判断２０１）、特番「８」がある場合には（判断２０１のＹｅｓ）、処理１０９のファクシミリ送信処理において参照される通信パラメータとして、図５のパラメータ登録テーブル中の内線用パラメータを設定し（処理２０２）、特番「８」がない場合には（判断２０１のＮｏ）、処理１０９のファクシミリ送信処理において参照される通信パラメータとして、図５のパラメータ登録テーブル中の外線用パラメータを設定する（処理２０３）。そして、［スタート］キー９ｅが押下されるかを監視し（判断２０４のＮｏループ）、押下されると（判断２０４のＹｅｓ）、発呼前処理が終了し図３の処理１０７以降の処理が行われる。
【００４３】
これにより、処理１０９のファクシミリ送信処理において参照される通信パラメータとして、宛先指定時に内線が指定されれば内線通信に最適な内線用パラメータが設定され、それ以外の場合には外線用パラメータが設定されるため、１回線で内線通信及び外線通信を支障なく行える。
【００４４】
次に、第２実施形態に係る発呼前処理について説明する。
【００４５】
第２実施形態では、ＲＡＭ４に、図７に示すパラメータ登録テーブルを予め記憶しておく。図７に示すパラメータ登録テーブルは、図５に示した第１実施形態に係るパラメータ登録テーブルと同様のものであるが、項目「事業所登録」が追加されている点が異なる。
【００４６】
項目「事業所登録」は、内線内に複数の事業所が属している場合に、各事業所を内線内で区別するための番号のうちの１つを登録しておくもので、内線パラメータ側には、自装置が属する事業所の番号（図においては「２」）を登録しておく。
【００４７】
そして、第２実施形態では、図３に示した送信処理手順における発呼前処理（処理１０６）として、図８に示す処理手順を行う。
【００４８】
図８において、先ず、システム制御部２は、処理１０４で入力された宛先の先頭に、内線を指定する特定の番号である特番「８」があるかを判断し（判断３０１）、特番「８」がある場合には（判断３０１のＹｅｓ）、更に、処理１０４で入力された宛先の先頭の特番「８」に続いて図７に示した内線パラメータの項目「事業所登録」に登録された事業所番号「２」であるかを判断し（判断３０２）、事業所番号「２」である場合には（判断３０２のＹｅｓ）、処理１０９のファクシミリ送信処理において参照される通信パラメータとして、図７のパラメータ登録テーブル中の内線用パラメータを設定し（処理３０３）、判断３０１で特番「８」がない場合（判断３０１のＮｏ）、または、判断３０２で事業所番号「２」がない場合は（判断３０２のＮｏ）、処理１０９のファクシミリ送信処理において参照される通信パラメータとして、図７のパラメータ登録テーブル中の外線用パラメータを設定する（処理３０４）。そして、［スタート］キー９ｅが押下されるかを監視し（判断３０５のＮｏループ）、押下されると（判断３０５のＹｅｓ）、発呼前処理が終了し図３の処理１０７以降の処理が行われる。
【００４９】
これにより、処理１０９のファクシミリ送信処理において参照される通信パラメータとして、宛先指定時に内線が指定され、かつ、自装置と距離的に近い同一事業所内の相手先との内線通信においては、内線通信に最適な内線用パラメータが設定され、自装置と距離的に遠い他事業所との内線通信や、外線通信においては、外線用パラメータが設定されるため、１回線で内線通信及び外線通信を支障なく行える。
【００５０】
次に、第３実施形態に係る発呼前処理について説明する。
【００５１】
第３実施形態は、第２実施形態の変形例で、ＲＡＭ４に、第２実施形態と同様に、図７に示すパラメータ登録テーブルを予め記憶しておく。
【００５２】
そして、図３に示した送信処理手順における発呼前処理（処理１０６）として、図１２に示す発呼前処理を行うが、それに先だって、図９に示す有効パラメータ設定処理手順を行う。
【００５３】
図９において、システム制御部２は、［ファンクション］キー９ｆの押下と、テンキー９ａによる番号「５０」の入力との組合せ操作があるかを監視し（判断４０１のＮｏループ）、あった場合は（判断４０１のＹｅｓ）、表示器９ｈに図１０に示す表示Ｄ１０を表示し、有効とするパラメータを［←］キー９ｇｌまたは［→］キー９ｇｒを押下することによりカーソルを移動させて設定して［Ｙｅｓ］キー９ｂを押下するように促す。
【００５４】
そして、［←］キー９ｇｌまたは［→］キー９ｇｒの押下に応じて表示Ｄ１０におけるカーソルの表示位置を変更すると共に現在のカーソル位置を記憶するカーソル制御を行いつつ（処理４０３）、［Ｙｅｓ］キー９ｂが押下されるかを監視する（判断４０４のＮｏループ）。
【００５５】
そして、［Ｙｅｓ］キー９ｂが押下されると（判断４０４のＹｅｓ）、カーソル位置に応じた値に有効パラメータフラグＦの値を設定する（処理４０５）。その設定された値は、ＲＡＭ４に記憶される。
【００５６】
図１１に、処理４０５により設定される有効パラメータフラグＦの値と、有効なパラメータとの対応について示す。同図において、値「１１」は、内線用及び外線用のパラメータが共に有効であることを示し、値「１０」は、内線用パラメータのみが有効であることを示し、値「０１」は、外線用パラメータのみが有効であることを示す。
【００５７】
次に、図１２に示す第３実施形態に係る発呼前処理について説明する。
【００５８】
図１２において、先ず、システム制御部２は、有効パラメータフラグＦの値を判断する（判断５０１）。そして、値が「１１」で内線用及び外線用のパラメータが共に有効である場合にのみ判断５０２に移行して、処理１０４で入力された宛先の先頭に、内線を指定する特定の番号である特番「８」があるかを判断し（判断５０２）、特番「８」がある場合には（判断５０２のＹｅｓ）、更に、処理１０４で入力された宛先の先頭の特番「８」に続いて図７に示した内線パラメータの項目「事業所登録」に登録された事業所番号「２」であるかを判断し（判断５０３）、事業所番号「２」である場合には（判断５０３）、処理１０９のファクシミリ送信処理において参照される通信パラメータとして、図７のパラメータ登録テーブル中の内線用パラメータを設定し（処理５０４）、判断５０２で特番「８」がない場合（判断５０２のＮｏ）、または、判断５０３で事業所番号「２」がない場合は（判断３０２のＮｏ）、処理１０９のファクシミリ送信処理において参照される通信パラメータとして、図７のパラメータ登録テーブル中の外線用パラメータを設定する（処理５０５）。
【００５９】
判断５０１でフラグＦの値が「１０」で内線用パラメータのみが有効である場合には、処理１０９のファクシミリ送信処理において参照される通信パラメータとして、無条件に図７のパラメータ登録テーブル中の内線用パラメータを設定し（処理５０４）、判断５０１でフラグＦの値が「０１」で外線用パラメータのみが有効である場合には、処理１０９のファクシミリ送信処理において参照される通信パラメータとして、無条件に図７のパラメータ登録テーブル中の外線用パラメータを設定する（処理５０５）
【００６０】
これにより、内線通信か外線通信かに応じて通信パラメータをその都度変更する必要性がないような場合に対応でき、内線用パラメータや外線用パラメータの登録操作を簡略化することができる。
【００６１】
次に、第４実施形態に係る発呼前処理について説明する。
【００６２】
第４実施形態では、ＲＡＭ４に、図１３に示すパラメータ登録テーブルを予め記憶しておく。図１３R>３に示すパラメータ登録テーブルは、パラメータ１ないしパラメータ５により構成されている。そして、各パラメータは、第１実施形態の場合と同様の「ＤＩＳフレームサイズ」、「ＣＥＤ／ＡＮＳａｍ送出禁止」、「Ｇ３標準／非標準」、「ＡＩ短プロ」、「ＮＳＦ／ＤＩＳ検出回数」、「Ｖ８機能手順」、「送信開始モデムモード」、「ＰＳＴＮケーブルイコライザ」、及び、「送出レベル」の各項目により構成されている。
【００６３】
そのように、それそれ内容の異なるパラメータ１ないし５を予めパラメータ登録テーブルに登録した上で、第４実施形態では、図３に示した送信処理手順における発呼前処理（処理１０６）として１４に示す処理手順を行う。
【００６４】
図６において、システム制御部２は、［スタート］キー９ｅが押下されるかを監視し（判断６０１のＮｏループ）、押下されると（判断６０１のＹｅｓ）、発呼前処理が終了し図３の処理１０７以降の処理が行われる。
【００６５】
そして、第４実施形態では、図３に示した送信処理手順におけるファクシミリ送信処理（処理１０９）として、特に、図１５に示す処理手順を行う。
【００６６】
図１５において、システム制御部２は、先ず、変数ｎに１を代入し（処理７０１）、ＲＡＭ４に予め記憶された図１３のパラメータ登録テーブルに登録された各パラメータのうちの、パラメータｎを、通信パラメータとして設定し（処理７０２）、判断１０４で入力された宛先に発呼してファクシミリ送信を行う送信処理を開始する（処理７０３）。そして、送信処理が正常に終了した場合には（判断７０４のＹｅｓ）、処理を終了するが、相手先とうまく通信が行えず、送信処理が正常に終了しなかった場合には（判断７０４のＮｏ）、変数ｎをインクリメントして（処理７０５）、変数ｎが５以下であれば（判断７０６のＮｏ）、処理７０２に戻る。変数ｎが５を超えた場合には（判断７０６のＹｅｓ）、処理を終了する。
【００６７】
つまり、送信処理が正常に終了するまで、通信パラメータが、パラメータ１、パラメータ２、…、と切替設定されて通信が試みられる。これにより、相手先が内線または外線の相手先かによらず、１回線で内線通信及び外線通信を支障なく行える。
【００６８】
次に、第５実施形態に係る発呼前処理手順について説明する。
【００６９】
第５実施形態では、ＲＡＭ４に、図１６に示すパラメータ登録テーブルを予め記憶しておく。図１６R>６に示すパラメータ登録テーブルは、図１３に示した第４実施形態に係るパラメータ登録テーブルと同様のものであるが、項目「特番」が追加されている点が異なる。各パラメータの項目「特番」には、それぞれ番号が登録されているが、パラメータ１の項目「特番」には、番号が未登録で「指定なし」となっている。
【００７０】
そして、第５実施形態では、図３に示した送信処理手順における発呼前処理（処理１０６）として、図１７に示す処理手順を行う。
【００７１】
図１７において、先ず、システム制御部２は、処理１０４で入力された宛先の先頭に、図１６のパラメータ登録テーブルのパラメータ２ないし５の項目「特番」として登録された特番があるかを判断し（判断８０１）、特番がある場合には（判断８０２のＹｅｓ）、処理１０９のファクシミリ送信処理において参照される通信パラメータとして、、当該特番に対応するパラメータを設定し（処理８０２）、判断８０１で特番がない場合は（判断８０１のＮｏ）、処理１０９のファクシミリ送信処理において参照される通信パラメータとして、図パラメータ１を設定する（処理８０３）。そして、［スタート］キー９ｅが押下されるかを監視し（判断８０３のＮｏループ）、押下されると（判断８０３のＹｅｓ）、発呼前処理が終了し図３の処理１０７以降の処理が行われる。
【００７２】
これにより、処理１０９のファクシミリ送信処理において参照される通信パラメータとして、宛先指定時に特番が指定されれば、その指定された特番に対応する事業所等との間の通信に最適なパラメータが設定されるため、１回線で内線通信及び外線通信を支障なく行える。
【００７３】
次に、第６実施形態に係る発呼前処理手順について説明する。
【００７４】
第６実施形態では、ＲＡＭ４に、第４実施形態と同様に、図１３に示すパラメータ登録テーブルを予め記憶しておく。
【００７５】
そして、第５実施形態では、図３に示した送信処理手順における発呼前処理（処理１０６）として、図１８に示す処理手順を行う。
【００７６】
図１８において、システム制御部２は、［↓］キー９ｇｄが押下されるか、または、［スタート］キー９ｅが押下されるかを監視し（判断９０１のＮｏ、判断９０２のＮｏループ）、［スタート］キー９ｅが押下された場合には（判断９０２のＹｅｓ）、処理１０９のファクシミリ送信処理において参照される通信パラメータとして、、図１２のパラメータ登録テーブルのパラメータ１を設定して（処理９０７）、発呼前処理を終了し図３の処理１０７以降の処理が行われる。
【００７７】
［↓］キー９ｇｄが押下された場合は（判断９０１のＹｅｓ）、図３の処理１０５で表示した図４の表示Ｄ０３に続いて、表示器９ｈに図１９に示す表示Ｄ２０を行い、パラメータを選択するための選択番号を入力するよう促す（処理９０３）。
【００７８】
そして、入力された番号を表示Ｄ２０に表示すると共に入力された番号を記憶する番号入力処理を行いつつ、［スタート］キー９ｅが押下されるかを監視する（処理９０４、判断９０５のＮｏループ）。
【００７９】
そして、［スタート］キー９ｅが押下されると（判断９０５のＹｅｓ）、図１３のパラメータ登録テーブルのパラメータ２ないし５のうちの選択された番号のパラメータを、処理１０９のファクシミリ送信処理において参照される通信パラメータとして設定して（処理９０６）、発呼前処理を終了し図３の処理１０７以降の処理が行われる。
【００８０】
これにより、指定された内線や外線の相手先との通信に最適なパラメータを、発呼の際にその都度ユーザに選択させて、処理１０９のファクシミリ送信処理において参照される通信パラメータとして設定できるため、１回線で内線通信及び外線通信を支障なく行える。
【００８１】
なお、以上説明した実施の形態においては、本発明を、通信端末装置の１つであるファクシミリ装置に適用したが、本発明はそれに限らず、構内交換機に収容されて、設定された通信パラメータに基づいて内線通信や外線通信を行う通信端末装置であれば、同様に適用可能なものである。
【図面の簡単な説明】
【００８２】
【図１】本発明の実施の形態に係る通信端末装置としてのファクシミリ装置のブロック構成を示す図である。
【図２】本発明の実施の形態に係るファクシミリ装置の操作表示部の、本実施の形態と直接関係する部分以外は図示を省略した配置構成例を示す図である。
【図３】本発明の実施の形態に係るファクシミリ装置における、送信処理手順について示すフローチャートである。
【図４】図３の処理手順における表示例について示す図である。
【図５】第１実施形態に係るパラメータ登録テーブルについて示す図である。
【図６】第１実施形態に係る発呼前処理の具体的な手順について示すフローチャートである。
【図７】第２及び第３実施形態に係るパラメータ登録テーブルについて示す図である。
【図８】第２実施形態に係る発呼前処理の具体的な手順について示すフローチャートである。
【図９】第３実施形態に係る有効パラメータ設定処理手順について示すフローチャートである。
【図１０】図９の処理手順における表示例について示す図である。
【図１１】有効パラメータフラグの値と有効なパラメータの対応について示す図である。
【図１２】第３実施形態に係る発呼前処理の具体的な手順について示すフローチャートである。
【図１３】第４及び第６実施形態に係るパラメータ登録テーブルについて示す図である。
【図１４】第４実施形態に係る発呼前処理の具体的な手順について示すフローチャートである。
【図１５】第４実施形態に係るファクシミリ送信処理の具体的な手順について示すフローチャートである。
【図１６】第５実施形態に係るパラメータ登録テーブルについて示す図である。
【図１７】第５実施形態に係る発呼前処理の具体的な手順について示すフローチャートである。
【図１８】第６実施形態に係る発呼前処理の具体的な手順について示すフローチャートである。
【図１９】図１８の処理手順における表示例について示す図である。
【符号の説明】
【００８３】
１  ファクシミリ装置
２  システム制御部
３  ＲＯＭ
３ａ  フォントテーブル
４  ＲＡＭ
５  スキャナ
６  プロッタ
７  画像メモリ
８  符号化復号化部
９  操作表示部
９ａ  テンキー
９ｂ  ［Ｙｅｓ］キー
９ｃ  ［Ｎｏ］キー
９ｄ  ［ストップ］キー
９ｅ  ［スタート］キー
９ｆ  ［ファンクション］キー
９ｇ  カーソルキー群
９ｇｄ  ［下矢印］キー
９ｇｌ  ［左矢印］キー
９ｇｒ  ［右矢印］キー
９ｇｕ  ［上矢印］キー
９ｈ  表示器
１０  通信制御部
１１  モデム
１２  網制御部
１３  システムバス
【図１】
2006129512.tif 000003
【図２】
2006129512.tif 000004
【図３】
2006129512.tif 000005
【図４】
2006129512.tif 000006
【図５】
2006129512.tif 000007
【図６】
2006129512.tif 000008
【図７】
2006129512.tif 000009
【図８】
2006129512.tif 000010
【図９】
2006129512.tif 000011
【図１０】
2006129512.tif 000012
【図１１】
2006129512.tif 000013
【図１２】
2006129512.tif 000014
【図１３】
2006129512.tif 000015
【図１４】
2006129512.tif 000016
【図１５】
2006129512.tif 000017
【図１６】
2006129512.tif 000018
【図１７】
2006129512.tif 000019
【図１８】
2006129512.tif 000020
【図１９】
2006129512.tif 000021
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
外線を介した通信に最適な外線用パラメータと内線を介した通信に最適な内線用パラメータとを予め記憶したパラメータ登録テーブルと、
相手先と行う通信が内線または外線のいずれを介したものであるかを識別する識別手段と、
前記識別手段により識別された通信に対応して前記パラメータ登録テーブルに記憶されたパラメータを通信時に参照される通信パラメータとして設定するパラメータ設定手段とを備え、
前記パラメータ設定手段により設定された通信パラメータに基づき前記相手先との通信を行なうことを特徴とする通信端末装置。
【請求項２】
外線を介した通信に最適な外線用パラメータと内線を介した特定区域との通信に最適な内線用パラメータとを予め記憶したパラメータ登録テーブルと、
相手先と行う通信が内線または外線のいずれを介したものであるかを識別する第１の識別手段と、
所定の区域が指定されたかを識別する第２の識別手段と、
前記第１識別手段により識別された通信が内線を介するものである場合において、前記第２の識別手段により前記所定の区域が指定されたと判断されたときには、通信時に参照される通信パラメータとして、前記内線用パラメータを設定し、それ以外の場合には前記外線用パラメータを設定するパラメータ設定手段とを備え、
前記パラメータ設定手段により設定された通信パラメータに基づき前記相手先との通信を行なうことを特徴とする通信端末装置。
【請求項３】
前記外線用パラメータのみ、前記内線用パラメータのみ、または、前記外線用パラメータ及び内線用パラメータの両方を有効なパラメータとして予め設定する有効パラメータ設定手段を更に備え、
前記パラメータ設定手段は、前記有効パラメータ設定手段により有効と設定されたパラメータが、前記内線用パラメータのみであった場合には、前記内線用パラメータを、前記外線用パラメータのみであった場合には、前記外線用パラメータを、通信時に参照される通信パラメータとして設定する一方、
前記有効パラメータ設定手段により有効と設定されたパラメータが、前記外線用パラメータ及び内線用パラメータの両方であった場合には、前記識別手段により識別された通信に対応して前記パラメータ登録テーブルに記憶された通信パラメータを設定するものであることを特徴とする請求項１に記載の通信端末装置。
【請求項４】
前記外線用パラメータのみ、前記内線用パラメータのみ、または、前記外線用パラメータ及び内線用パラメータの両方を有効なパラメータとして予め設定する有効パラメータ設定手段を更に備え、
前記パラメータ設定手段は、前記有効パラメータ設定手段により有効と設定されたパラメータが、前記内線用パラメータのみであった場合には、
前記内線用パラメータを、前記外線用パラメータのみであった場合には、前記外線用パラメータを、通信時に参照される前記通信パラメータとして設定する一方、
前記有効パラメータ設定手段により有効と設定されたパラメータが、前記外線用パラメータ及び内線用パラメータの両方であった場合には、
前記第１識別手段により識別された通信が内線を介するものである場合において、前記第２の識別手段により前記所定の区域が指定されたと判断されたときには、前記内線用パラメータを設定し、それ以外の場合には前記外線用パラメータを設定するものであることを特徴とする請求項２に記載の通信端末装置。
【請求項５】
それぞれ内容の異なる複数のパラメータを予め記憶したパラメータ登録テーブルと、
前記パラメータ登録テーブルに登録されたパラメータのうちの１つを、相手先との通信時に参照される前記通信パラメータとして設定し、前記相手先と通信を行った結果、通信が正常終了しなかった場合には、前記パラメータ登録テーブルに登録された他のパラメータを通信が正常に終了するまで順次前記通信パラメータとして設定して再度前記相手先との通信を行う通信制御手段とを備えたことを特徴とする通信端末装置。
【請求項６】
それぞれ内容の異なる複数のパラメータをそれぞれ特定番号と対応付けて予め記憶したパラメータ登録テーブルと、
指定された特定番号を識別する識別手段と、
前記識別手段により識別された特定番号に前記パラメータ登録テーブルにおいて対応するパラメータを通信時に参照される通信パラメータとして設定するパラメータ設定手段とを備え、前記パラメータ設定手段により設定された通信パラメータに基づき相手先との通信を行なうことを特徴とする通信端末装置。
【請求項７】
それぞれ内容の異なる複数のパラメータを予め記憶したパラメータ登録テーブルと、選択操作入力に応じて前記パラメータ登録テーブルに記憶されたパラメータのうちの１つを通信時に参照される通信パラメータとして設定するパラメータ設定手段とを備え、
前記パラメータ設定手段により設定された通信パラメータに基づき相手先との通信を行なうことを特徴とする通信端末装置。
【手続補正２】
【補正対象書類名】明細書
【補正対象項目名】０００６
【補正方法】変更
【補正の内容】
【０００６】
上記目的を達成するため、請求項１に記載の通信端末装置は、外線を介した通信に最適な外線用パラメータと内線を介した通信に最適な内線用パラメータとを予め記憶したパラメータ登録テーブルと、相手先と行う通信が内線または外線のいずれを介したものであるかを識別する識別手段と、前記識別手段により識別された通信に対応して前記パラメータ登録テーブルに記憶されたパラメータを通信時に参照される通信パラメータとして設定するパラメータ設定手段とを備え、前記パラメータ設定手段により設定された通信パラメータに基づき前記相手先との通信を行なうことを特徴とする。
【手続補正３】
【補正対象書類名】明細書
【補正対象項目名】０００７
【補正方法】変更
【補正の内容】
【０００７】
請求項２に記載の通信端末装置は、外線を介した通信に最適な外線用パラメータと内線を介した特定区域との通信に最適な内線用パラメータとを予め記憶したパラメータ登録テーブルと、相手先と行う通信が内線または外線のいずれを介したものであるかを識別する第１の識別手段と、所定の区域が指定されたかを識別する第２の識別手段と、前記第１識別手段により識別された通信が内線を介するものである場合において、前記第２の識別手段により前記所定の区域が指定されたと判断されたときには、通信時に参照される通信パラメータとして、前記内線用パラメータを設定し、それ以外の場合には前記外線用パラメータを設定するパラメータ設定手段とを備え、前記パラメータ設定手段により設定された通信パラメータに基づき前記相手先との通信を行なうことを特徴とする。
【手続補正４】
【補正対象書類名】明細書
【補正対象項目名】０００８
【補正方法】変更
【補正の内容】
【０００８】
請求項３に記載の通信端末装置は、請求項１に記載の通信端末装置において、前記外線用パラメータのみ、前記内線用パラメータのみ、または、前記外線用パラメータ及び内線用パラメータの両方を有効なパラメータとして予め設定する有効パラメータ設定手段を更に備え、前記パラメータ設定手段は、前記有効パラメータ設定手段により有効と設定されたパラメータが、前記内線用パラメータのみであった場合には、前記内線用パラメータを、前記外線用パラメータのみであった場合には、前記外線用パラメータを、通信時に参照される通信パラメータとして設定する一方、前記有効パラメータ設定手段により有効と設定されたパラメータが、前記外線用パラメータ及び内線用パラメータの両方であった場合には、前記識別手段により識別された通信に対応して前記パラメータ登録テーブルに記憶された通信パラメータを設定するものであることを特徴とする。
【手続補正５】
【補正対象書類名】明細書
【補正対象項目名】０００９
【補正方法】変更
【補正の内容】
【０００９】
請求項４に記載の通信端末装置は、請求項２に記載の通信端末装置において、前記外線用パラメータのみ、前記内線用パラメータのみ、または、前記外線用パラメータ及び内線用パラメータの両方を有効なパラメータとして予め設定する有効パラメータ設定手段を更に備え、前記パラメータ設定手段は、前記有効パラメータ設定手段により有効と設定されたパラメータが、前記内線用パラメータのみであった場合には、前記内線用パラメータを、前記外線用パラメータのみであった場合には、前記外線用パラメータを、通信時に参照される前記通信パラメータとして設定する一方、前記有効パラメータ設定手段により有効と設定されたパラメータが、前記外線用パラメータ及び内線用パラメータの両方であった場合には、前記第１識別手段により識別された通信が内線を介するものである場合において、前記第２の識別手段により前記所定の区域が指定されたと判断されたときには、前記内線用パラメータを設定し、それ以外の場合には前記外線用パラメータを設定するものであることを特徴とする。
【手続補正６】
【補正対象書類名】明細書
【補正対象項目名】００１０
【補正方法】変更
【補正の内容】
【００１０】
請求項５に記載の通信端末装置は、それぞれ内容の異なる複数のパラメータを予め記憶したパラメータ登録テーブルと、前記パラメータ登録テーブルに登録されたパラメータのうちの１つを、相手先との通信時に参照される前記通信パラメータとして設定し、前記相手先と通信を行った結果、通信が正常終了しなかった場合には、前記パラメータ登録テーブルに登録された他のパラメータを通信が正常に終了するまで順次前記通信パラメータとして設定して再度前記相手先との通信を行う通信制御手段とを備えたことを特徴とする。
【手続補正７】
【補正対象書類名】明細書
【補正対象項目名】００１１
【補正方法】変更
【補正の内容】
【００１１】
請求項６に記載の通信端末装置は、それぞれ内容の異なる複数のパラメータをそれぞれ特定番号と対応付けて予め記憶したパラメータ登録テーブルと、指定された特定番号を識別する識別手段と、前記識別手段により識別された特定番号に前記パラメータ登録テーブルにおいて対応するパラメータを通信時に参照される通信パラメータとして設定するパラメータ設定手段とを備え、前記パラメータ設定手段により設定された通信パラメータに基づき相手先との通信を行なうことを特徴とする通信端末装置。
【手続補正８】
【補正対象書類名】明細書
【補正対象項目名】００１２
【補正方法】変更
【補正の内容】
【００１２】
請求項７に記載の通信端末装置は、それぞれ内容の異なる複数のパラメータを予め記憶したパラメータ登録テーブルと、選択操作入力に応じて前記パラメータ登録テーブルに記憶されたパラメータのうちの１つを通信時に参照される通信パラメータとして設定するパラメータ設定手段とを備え、前記パラメータ設定手段により設定された通信パラメータに基づき相手先との通信を行なうことを特徴とする通信端末装置。
【手続補正９】
【補正対象書類名】明細書
【補正対象項目名】００１３
【補正方法】変更
【補正の内容】
【００１３】
請求項１に係る発明によれば、内線通信を行う場合には、内線通信に最適な通信パラメータが設定され、それ以外の場合には外線通信に最適な通信パラメータが設定されるため、内線でも外線でも１本の回線で支障なく通信を行うことが可能となる効果が得られる。
【手続補正１０】
【補正対象書類名】明細書
【補正対象項目名】００１４
【補正方法】変更
【補正の内容】
【００１４】
請求項２に係る発明によれば、内線が指定され、かつ、自装置が設置された事業所等の所定の区域が指定されたときには、内線通信に最適な通信パラメータが設定され、それ以外の場合には外線通信に最適な通信パラメータが設定されるため、距離的に近い同一事業所内等での内線通信においては、前記通信パラメータとして最適な前記内線用パラメータを使用でき、距離的に遠い他事業所等との、通信条件が外線とかわらない内線通信においては、前記通信パラメータとして最適な前記外線用パラメータを使用できる。したがって、内線でも外線でも１本の回線で支障なく通信を行うことが可能となる効果が得られる。
【手続補正１１】
【補正対象書類名】明細書
【補正対象項目名】００１８
【補正方法】変更
【補正の内容】
【００１８】
請求項６に係る発明によれば、指定された特定番号に対応するパラメータが前記通信パラメータとして設定されるため、各特定番号に対応する内線内の区域や外線の相手先との通信を、各相手先との通信に最適な通信パラメータで行うことができ、内線でも外線でも１本の回線で支障なく通信を行うことが可能となる効果が得られる。
【手続補正１２】
【補正対象書類名】明細書
【補正対象項目名】００７１
【補正方法】変更
【補正の内容】
【００７１】
図１７において、先ず、システム制御部２は、処理１０４で入力された宛先の先頭に、図１６のパラメータ登録テーブルのパラメータ２ないし５の項目「特番」として登録された特番があるかを判断し（判断８０１）、特番がある場合には（判断８０２のＹｅｓ）、処理１０９のファクシミリ送信処理において参照される通信パラメータとして、当該特番に対応するパラメータを設定し（処理８０２）、判断８０１で特番がない場合は（判断８０１のＮｏ）、処理１０９のファクシミリ送信処理において参照される通信パラメータとして、図パラメータ１を設定する（処理８０３）。そして、［スタート］キー９ｅが押下されるかを監視し（判断８０３のＮｏループ）、押下されると（判断８０３のＹｅｓ）、発呼前処理が終了し図３の処理１０７以降の処理が行われる。
【手続補正１３】
【補正対象書類名】明細書
【補正対象項目名】００７６
【補正方法】変更
【補正の内容】
【００７６】
図１８において、システム制御部２は、［↓］キー９ｇｄが押下されるか、または、［スタート］キー９ｅが押下されるかを監視し（判断９０１のＮｏ、判断９０２のＮｏループ）、［スタート］キー９ｅが押下された場合には（判断９０２のＹｅｓ）、処理１０９のファクシミリ送信処理において参照される通信パラメータとして、図１２のパラメータ登録テーブルのパラメータ１を設定して（処理９０７）、発呼前処理を終了し図３の処理１０７以降の処理が行われる。